(57)【要約】【課題】容器内でハエ類等が増殖して多数発生することがないと共に、害虫の誘引性が低下しないようにした害虫誘引捕獲器とする。【解決手段】害虫入口１３を有する容器１内に捕獲部２と誘引源とハイドロプレン３を設け、そのハイドロプレン３の作用によって容器１内に産み付けられた卵のふ化、または幼虫の蛹化を阻止するようにした害虫誘引捕獲器。【選択図】      図１
2004154017.tif 000002
【特許請求の範囲】
【請求項１】
害虫入口１３を有する容器１内に、捕獲部２とハイドロプレイン３を設け、この容器１に害虫を害虫入口１３から容器１内に誘引する誘引源を設けたことを特徴とする害虫誘引捕獲器。
【請求項２】
担体４にハイドロプレン３を含浸させ、その担体４を容器１の内面に貼り付けた請求項１記載の害虫誘引捕獲器。
【発明の詳細な説明】
【０００１】
【発明の属する技術分野】
本発明は、ゴキブリ、ハエ、小型飛翔昆虫、農業害虫、スズメバチ、アシナガバチ等の害虫を誘引して捕獲する害虫誘引捕獲器に関する。
【０００２】
【従来の技術】
従来、害虫誘引捕獲器は種々のものが実用化されている。
例えば、ゴキブリ、ハエ、小型飛翔昆虫等を対象とした害虫誘引捕獲器は一般家庭、飲食店、工場等で頻繁に用いられている。
また、農業害虫を対象とした害虫誘引捕獲器は温室や貯穀倉庫等でよく使用されている。
さらに近年、屋外のスズメバチやアシナガバチを対象とした害虫誘引捕獲器が普及しつつある。
【０００３】
前記害虫誘引捕獲器の具体例としては、容器に液体を入れて捕獲部とすると共に、誘引用の光源を設けて誘引源とし光源で害虫を液面に向って誘引し、液体に落下することで捕獲して溺死させるようにしたもの（例えば特許文献１参照）が知られている。
また、害虫誘引捕獲器の具体例としては、容器内に、液体状の殺虫剤と、この液体状の殺虫剤を加熱して殺虫剤を気化させる加熱体と、誘引ランプを設け、誘引ランプの光で害虫を容器内に誘引して殺虫剤で駆除するもの（例えば特許文献２参照）が知られている。
【０００４】
【特許文献１】
特開昭５９−２２０１４４号公報
【特許文献２】
特開平８−１４０５４９号公報
【０００５】
【発明が解決しようとする課題】
前述したように、害虫を液体に落下して捕獲し、溺死させるようにした形態の害虫誘引捕獲器の場合、ショウジョウバエ、ノミバエ、キノコバエ等のコバエ類が容器内に入り込み、容器内面に卵を産み付け、増殖して容器内にこれらコバエ類が多数発生することがあった。
また、動物の死体やふんなどの肉質系の食餌を好むニクバエ、クロバエ、キンバエ等の昆虫、さらには前述のショウジョウバエ、ノミバエ、キノコバエ等のコバエ類が捕獲した害虫の腐敗臭に誘引されて卵を産み付け、増殖して容器内にこれらのハエ類（飛翔害虫）が多数発生することがあった。
【０００６】
前述した捕獲した害虫を殺虫剤で駆除する形態の害虫誘引捕獲器の場合には、容器内に気化した殺虫剤によって前述のハエ類の発生をある程度防止できるが、殺虫剤のために害虫の誘引性が低下する恐れがある。
【０００７】
本発明は前述の課題に鑑みなされたものであり、その目的は、害虫の誘引性を低下することなく、容器内でハエ類が増殖することを防止できる害虫誘引捕獲器を提供することである。
【０００８】
【課題を解決するための手段】
第１の発明は、害虫入口１３を有する容器１内に、捕獲部２とハイドロプレイン３を設け、この容器１に害虫を害虫入口１３から容器１内に誘引する誘引源を設けたことを特徴とする害虫誘引捕獲器である。
【０００９】
第２の発明は、第１の発明において担体４にハイドロプレン３を含浸させ、その担体４を容器１の内面に貼り付けた請求項１記載の害虫誘引捕獲器である。
【００１０】
【作  用】
第１の発明によれば、容器１内にハイドロプレンが充満し、そのハイドロプレンによって容器１内に産み付けられたハエ類などの卵がふ化、または幼虫が蛹化することを防止する。
よって、容器１内でハエ類などが増殖して多数発生することが防止できる。
また、ハイドロプレンは害虫に対する忌避性が少ないので、害虫の誘引性が低下することがなく、害虫を多数捕獲できる。
【００１１】
第２の発明によれば、容器１内にハイドロプレンを簡単に設けることができる。
【００１２】
【発明の実施の形態】
本発明の第１の実施の形態を説明する。
図１に示すように、容器１内に、捕獲部２と昆虫幼若ホルモン作用物質であるハイドロプレン３を設け、その捕獲部２に害虫を誘引する誘引源を設けて害虫誘引捕獲器としてある。
前記捕獲部２は液体で、誘引性物質が混合され、この実施の形態は害虫誘引捕獲部である。
前記誘引源は摂食嗜好性を利用したものや、特定の光源や色彩、熱源を用いたもの、各種フェロモンを用いたものを容器１に設けることもできる。
【００１３】
前記ハイドロプレン３は、終齢幼虫から蛹への変態時に幼若化作用を示し、ハエ類等の蛹化を阻止する昆虫幼若ホルモン作用物質の一種で、常温揮散性が高い薬剤であり、この実施の形態では図２に示すように、担体４にハイドロプレン３を含浸させ、その担体４を容器１の内面に張り付けて設けてある。
前記担体４としては、ろ紙や不織布、プラスチックなどが用いられる。
【００１４】
前記容器１は容器本体１０と蓋１１とカバー１２を備えている。
前記容器本体１０は上面が開口した角筒形態で、その開口縁に蓋１１が着脱自在に取付けてある。
前記蓋１１は、害虫入口１３を有し容器本体１０の開口縁に着脱自在に取付けられる蓋本体１４と、この蓋本体１４に一体的に設けた縦片１５を有する。
前記縦片１５の上端部に吊り下げ用の穴１６が形成してあると共に、前記カバー１２が着脱自在に取付けられる。
このカバー１２は蓋本体１４と間隔を置いて対向し、害虫入口１３から雨水等が容器本体１０内に浸入し難くしてある。
容器１は前述の形態に限ることはなく、例えば上面が開口した筒形態、側面に害虫入口を有する形態、底面に凹凸をつけて凹部の液体捕獲部の液面より高い位置に害虫入口を有する形態などでも良い。つまり、容器１は害虫入口１３を有する形態であれば良い。
【００１５】
前記ハイドロプレン３を含浸した担体４は図１に示すように、蓋本体１４の内面に貼り付けて取付けてある。
また、図３に示すように容器本体１０の内面に担体４を貼り付けて取付けても良い。
なお、担体４の大きさは図１、図３に示すものに限ることはない。
【００１６】
害虫は、誘引源で誘引されて害虫入口１３から容器１内に入り込み、捕獲部２で捕獲され、死ぬ。
容器１内にはハイドロプレン３が充満しているので、容器１内でショウジョウバエ、ノミバエ、キノコバエや、ニクバエ、クロバエ、キンバエ、イエバエ等のハエ類が増殖して多数発生することがない。
具体的には、ハエ類が容器１内に入り込んで、容器１の内面や捕獲して死んだ害虫に卵を産み付けた場合に、その卵がふ化、または幼虫が蛹化することがハイドロプレン３で阻止されるので、ハエ類が増殖して多数発生することがない。
【００１７】
また、前記ハイドロプレン３は害虫に対する忌避性が少ないので、害虫の誘引性が低下することがなく、害虫を多数捕獲できる。
【００１８】
前記ハイドロプレン３はペースト状物やゲル状物に含浸させ、そのものを容器１の内面に塗布しても良いし、ハイドロプレン３を小さい容器に入れて容器１内に設けても良い。例えば、小さい容器を底面に置いたり、小さい容器を吊り下げる。
前記誘引源は容器１外に設けても良い。例えば誘引ランプを容器１の害虫入口１３の近くに設け、害虫が害虫入口１３から容器１内に入り込むようにする。
【００１９】
図４に示すように、捕獲部２を粘着剤をシート状物に塗布したものとし、その上に誘引源５を設けるようにしても良い。
この害虫誘引捕獲器であれば、強風雨時に雨水が容器１内に入り込み、容器１内に雨水が溜まった場合などにハエ類が増殖して多数発生することがない。
【００２０】
次に実験例を説明する。
１．処方例
実施例（第１の害虫誘引捕獲器）
ハイドロプレン２．１２％（Ｗ／Ｖ）アセトン溶液を調整し、その１ｍｌを直径９ｃｍのろ紙（東洋ろ紙５Ａ）に塗布して１時間風乾した。
このろ紙を１２８分の１に切った小片を、前述の図１に示す容器１内部に貼り付けたものを第１の害虫誘引捕獲器（供試捕獲器）とした。
【００２１】
比較例１（第２の害虫誘引捕獲器）
揮発性を有する殺虫剤としてペーパースリン２１．２％（Ｗ／Ｖ）アセトン溶液を調整し、その１ｍｌを直径９ｃｍのろ紙（東洋ろ紙５Ａ）に塗布して１時間風乾した。
このろ紙を１２８分の１に切った小片を、前述の図１に示す容器１内部に貼り付けたものを第２の害虫誘引捕獲器（供試捕獲器）とした。
【００２２】
比較例３（第３の害虫誘引捕獲器）
図１に示す害虫誘引捕獲器と同様でハイドロプレン３（担体）を有しないものを第３の害虫誘引捕獲器（供試捕獲器）とした。
各捕獲器の容器１にはスズメバチ誘引液を入れた。
【００２３】
実験１（屋外誘引性試験）
野外においてスズメバチの誘引性を調査するために、前述の第１・第２・第３の害虫誘引捕獲器を、営巣しているキイロスズメバチの巣の周辺にそれぞれ図５のように等間隔（巣からの距離が約５ｍ）となるように設置し、その誘引性を調査した。調査は設置後２週間目のスズメバチ捕獲数で調査した。
図５において、符号３０が巣、３１が家である。
【００２４】
調査結果は、第１の害虫誘引捕獲器の捕獲数は１３匹、その他（ハエ、カナブンなど）の捕獲数は６２匹、第２の害虫誘引捕獲器の捕獲数は１匹、その他の捕獲数は１２匹、第３の害虫誘引捕獲器の捕獲数は１４匹、その他の捕獲数は６５匹であった。
【００２５】
以上の結果から、ハイドロプレンを設けた場合および殺虫剤がない場合は捕獲されるスズメバチに大きな差はみられなかったが、ペーパースリンを設けた場合は捕獲数が少ない傾向が見られ、昆虫に対して忌避作用がある可能性が示唆された。
【００２６】
実験２（効力試験）
前述の第１・第２・第３の害虫誘引捕獲器をスズメバチの往来が見られる周辺の木の枝に取付け、３０日間放置した後、回収し、スズメバチの捕獲数および発生したハエ幼虫の発生数をカウントした。
この結果は下記表１に示すとおりであった。
【００２７】
【表１】
2004154017.tif 000003
【００２８】
このことから、ハイドロプレンを設けることでハエ幼虫の発生を防止できることが判明した。
【００２９】
前述の担体４（ろ紙）に含浸したハイドロプレン３は、そのろ紙等の材質により蒸散量は変化するが、容器１内に設けることを考慮すれば、小さいものが好ましい。また、スズメバチ誘引液の持続性を考慮すれば最大２ヶ月程度安定して蒸散されることが好ましく、その配合量は容積１リットル当たり０．００００１〜０．０１ｇが適当である。しかしながら、担体４の材質はもちろんのこと、ハイドロプレンの蒸散は、容器１の形状や温度、湿度、紫外線による分解など様々な環境条件の変化にも対応する必要性から、容積１リットル当たり０．００００１〜０．１ｇ程度配合されるのが好ましい。
すなわち、ハイドロプレンの前述の効果を調査、実験したところ、その効果は対象とする害虫によって異なるが、概ね０．００００１ｐｐｍ〜０．０１ｐｐｍ以上の雰囲気で有効であった。
このことから、容器１の容積１リットル当たり０．００００１〜０．１ｇ程度配合されることが好ましい。
【００３０】
【発明の効果】
請求項１に係る発明によれば、容器１内にハイドロプレンが充満し、そのハイドロプレンによって容器１内に産み付けられたハエ類などの卵がふ化、または幼虫が蛹化することを防止する。
よって、容器１内でハエ類などが増殖して多数発生することが防止できる。
また、ハイドロプレンは害虫に対する忌避性が少ないので、害虫の誘引性が低下することがなく、害虫を多数捕獲できる。
【００３１】
請求項２に係る発明によれば、容器１内にハイドロプレンを簡単に設けることができる。
【図面の簡単な説明】
【図１】本発明の第１の実施の形態を示す斜視図である。
【図２】担体の斜視図である。
【図３】本発明の第２の実施の形態の斜視図である。
【図４】本発明の第３の実施の形態の斜視図である。
【図５】実験例１の説明用平面図である。
【符号の説明】
１…容器、２…捕獲部、３…ハイドロプレン、４…担体、５…誘引源、１３…害虫入口。
【図１】
2004154017.tif 000004
【図２】
2004154017.tif 000005
【図３】
2004154017.tif 000006
【図４】
2004154017.tif 000007
【図５】
2004154017.tif 000008